(57)【特許請求の範囲】
【請求項１】
Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、１トラック内での記録位置を示す第１の検出情報とＭトラックの内のトラック位置を示す第２の検出情報を前記ディジタルデータに付加して記録する手段と、再生時に前記１ページ分のデータを記録した領域のどの位置を再生しているかを検出する位置検出手段と、再生データに対して高能率復号化を行う高能率復号化手段と、前記高能率復号化手段からの復号データをＮフレーム単位の映像信号とするための第１のメモリと、前記第１のメモリから読み出されたデータを１フィールド時間遅延できる第２のメモリと、前記第１のメモリから読み出した映像信号と前記遅延させた映像信号とを１フィールド単位で切り換える読み出し切換手段と、前記位置検出手段の検出結果とテープ走行方向を示す方向信号と速度信号に応じて前記第１のメモリからの読み出しと前記読み出し切換手段を制御する読み出し制御手段とを備える映像信号処理装置。
【請求項２】
位置検出手段は、記録データに付加されて記録されている第１の検出情報と第２の検出情報を検出することを特徴とする請求項１記載の映像信号処理装置。
【請求項３】
位置検出手段は、記録データに付加されて記録されている第１の検出情報と第２の検出情報を検出し、読み出し制御手段は、前記位置検出手段が検出した前記第１の検出情報と前記第２の検出情報と、方向信号、速度信号を用いて、１ページ分のデータを記録した領域のどの位置をどの方向に再生しているかを知り、前記１ページ分のデータを記録した領域の先頭、もしくは最後尾からＭ／（２Ｎ）トラック分の領域を再生するごとに第１のメモリからの読み出しと読み出し切換手段を制御することで、出力するフィールドが変化するようにすることを特徴とする請求項１記載の映像信号処理装置。
【請求項４】
Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、トラック内での記録位置を示す第１の検出情報とＭトラックの内のトラック位置を示す第２の検出情報を前記ディジタルデータに付加して記録する手段と、再生時に前記１ページ分のデータを記録した領域のどの位置を再生しているかを検出する位置検出手段と、再生データに誤り訂正を行う手段と、前記位置検出手段の検出結果とテープ走行方向を示す方向信号と速度信号から制御信号を生成し、前記誤り訂正した後のデータに付加する読み出し情報付加手段と、前記読み出し情報付加手段の出力を伝送する伝送手段とを備える映像信号処理装置。
【請求項５】
読み出し制御信号は、伝送されたデータを受信側で出力する場合にどのように出力するかを示すフィールド制御信号と伝送されたデータが正方向再生によるものか負方向再生によるものなのかを示す再生方向信号からなることを特徴とする請求項４記載の映像信号処理装置。
【発明の詳細な説明】
【０００１】
【発明の属する技術分野】
本発明は、映像信号をディジタル化し、高能率圧縮して記録するディジタルＶＴＲにおけるスロー再生時の映像信号処理装置に関する。
【０００２】
【従来の技術】
従来、ディジタルＶＴＲにおけるスロー再生時の信号処理は、特開平３−１３２１８３号公報に記載されたものが知られている。その従来のディジタル画像再生方式は、フィールド単位の映像信号を複数トラックにヘリカルスキャン記録する際にブロック単位で付加されたフィールド番号やブロック番号を示すＩＤ信号を再生して、どのフィールドを再生しているかを検出し、エラー検出や訂正などの再生処理を行った後、フレームメモリに蓄積された１フレーム分のデータからの読み出しを、検出したフィールドＩＤの切り替わりに応じてフィールド単位で行い、フィールドメモリに蓄積してスロー再生時に出画するものである。詳しい動作に関しては、公報を参照されたい。
【０００３】
その他に、複数のフレームメモリを用いることでスロー再生を実現するものはある。
【０００４】
【発明が解決しようとする課題】
従来の方式はフィールド単位で記録する場合を念頭に置いており、ｎフレーム単位で高能率符号化して複数トラックにシャフリングして記録するようなディジタルＶＴＲに適用できなかった。即ち、このような場合、記録テープ上ではフィールド単位の信号がバラバラになっているので、単にフィールドＩＤやブロックＩＤを再生しても１フィールド分のデータを再生できたかどうか検出することができず、よって、メモリの制御ができないのでスロー再生を行うことができない。
【０００５】
また、従来の方式ではフレームメモリに蓄積されている１フレームデータのフィールドを順次フィールドメモリに読み出してスロー再生を実現しているので、同一フレーム期間内に異なるフレームに属するフィールドデータを読み出すことができない。
【０００６】
また、複数のフレームメモリを用いる従来の方式は、同一フレーム期間内に異なるフレームに属するフィールドデータを読み出すことはできるが、フレームメモリが増えてしまうことになる。
【０００７】
本発明は上記従来の問題点を解決するもので、最低限のフレームメモリを用いてスロー再生時の同一フレーム期間内に、異なるフレームに属するフィールドを出力することを実現し、スロー再生時に出力するフィールドの出力時間が均等で、スロー再生画像の動きのなめらかさを改善できる映像信号処理装置を提供することを目的とする。
【０００８】
【課題を解決するための手段】
上記課題を解決するために本発明は、Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、１トラック内での記録位置を示す第１の検出情報とＭトラックの内のトラック位置を示す第２の検出情報をディジタルデータに付加して記録する手段と、再生時に１ページ分のデータを記録した領域のどの位置を再生しているかを検出する位置検出手段と、再生データに対して高能率復号化を行う高能率復号化手段と、高能率復号化手段からの復号データをＮフレーム単位の映像信号とするための第１のメモリと、第１のメモリから読み出されたデータを１フィールド時間遅延できる第２のメモリと、第１のメモリから読み出した映像信号と遅延させた映像信号を１フィールド単位で切り換える読み出し切換手段と、位置検出手段の検出結果とテープ走行方向を示す方向信号と速度信号に応じて第１のメモリからの読み出しと読み出し切換手段を制御する読み出し制御手段とを備えるものである。
【０００９】
これにより、Ｎフレーム単位で高能率符号化して複数トラックにシャフリングしてヘリカルスキャン記録する場合においても、再生中の再生位置を知り、その再生位置、再生方向、再生速度から生成した制御信号で、フレームメモリからの読み出しと、読み出し切換を制御することができるので、同一フレーム期間内に異なるフレームのフィールドを出力することができ、フィールド単位の動きの滑らかなスロー再生を実現できる。
【００１０】
【発明の実施の形態】
本発明の第１の発明は、Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、トラック内での記録位置を示す第１の検出情報とＭトラックの内のトラック位置を示す第２の検出情報を前記ディジタルデータに付加して記録する手段と、再生時に前記１ページ分のデータを記録した領域のどの位置を再生しているかを検出する位置検出手段と、再生データに対して高能率復号化を行う高能率復号化手段と、前記高能率復号化手段からの復号データをＮフレーム単位の映像信号とするための第１のメモリと、前記第１のメモリから読み出されたデータを１フィールド時間遅延できる第２のメモリと、遅延していない映像信号と前記遅延させた映像信号を１フィールド単位で切り換える読み出し切換手段と、前記位置検出手段の検出結果とテープ走行方向を示す方向信号、速度を示す速度信号に応じて出力する出力フィールドを制御するために前記第１のメモリからの読み出しと前記読み出し切換手段を制御する読み出し制御手段とを備えたものであり、前記位置検出手段で検出した前記第１と第２の検出情報から前記１ページ分のデータを記録した領域のどの位置を再生しているかを検出して、その検出結果とテープ走行方向を示す方向信号と速度信号に応じて第１のメモリから出力する出力フィールドと、読み出し切換の両方を制御することで、スロー再生時に出力されるフィールドが速度に応じて均等な滑らかなスローを実現するという作用を有する。
【００１１】
本発明の第２の発明は、Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、トラック内での記録位置を示す第１の検出情報とＭトラックの内のトラック位置を示す第２の検出情報を前記ディジタルデータに付加して記録する手段と、再生時に前記１ページ分のデータを記録した領域のどの位置を再生しているかを検出する位置検出手段と、再生データに対して高能率復号化を行う高能率復号化手段と、前記高能率復号化手段からの復号データをＮフレーム単位の映像信号とするための第１のメモリと、前記第１のメモリから順次出力されるＮフレームデータを１フィールド時間遅延できるメモリを（２Ｎ−１）段縦続接続した第２のメモリと、前記第１のメモリから読み出した映像信号と前記遅延させた映像信号を１フィールド単位で切り換える読み出し切換手段と、前記位置検出手段の検出結果とテープ走行方向を示す方向信号と速度信号に応じて前記読み出し切換手段を制御する読み出し制御手段とを備えたものであり、前記位置検出手段で検出した前記第１と第２の検出情報から前記１ページ分のデータを記録した領域のどの位置を再生しているかを検出して、その検出結果とテープ走行方向を示す方向信号と速度信号に応じて出力する出力フィールドを、遅延していない信号と遅延した信号を切り換えることで、スロー再生時に出力されるフィールドが速度に応じて均等な滑らかなスローを実現するという作用を有する。
【００１２】
本発明の第３の発明は、Ｎフレーム（Ｎは１以上）の映像信号を１ページとし１ページ単位で高能率符号化してディジタルデータとし、予め決められたＭトラック（Ｍは１以上）にシャフリングしてヘリカルスキャン記録する際に、トラック内での記録位置を示す第１の検出情報とＭトラックの内のトラック位置を示す第２の検出情報を前記ディジタルデータに付加して記録する手段と、再生時に前記１ページ分のデータを記録した領域のどの位置を再生しているかを検出する位置検出手段と、再生データに誤り訂正を行う手段と、前記位置検出手段の検出結果と、テープ走行方向を示す方向信号、速度信号から制御信号を生成し、前記誤り訂正した後のデータに付加する読み出し情報付加手段と、前記読み出し情報付加手段の出力を伝送する伝送手段とを備えたものであり、前記位置検出手段で検出した前記第１と第２の検出情報から前記１ページ分のデータを記録した領域のどの位置を再生しているかを検出した結果とテープ走行方向を示す方向信号と速度信号から生成した読み出し制御信号を伝送データに付加することにより、伝送したデータを受信し高能率復号化してフレームデータとした時の読み出しを、読み出し制御信号に従い行うことでスロー再生を実現できるという作用を有する。
【００１３】
以下、本発明の実施の形態について、図面を用いて説明する。
（実施の形態１）
図１は、本発明の実施の形態１による映像信号処理装置の構成を示すブロック図であり、１００は記録手段としての記録処理回路、１０１は再生用磁気ヘッド、１０２は再生処理回路、１０３は記録時に付加されたインナ訂正用パリティー符号に基づいてインナ訂正を行うインナ訂正復号回路、１０４は記録時に記録ブロック単位（このブロックは、テープにデータを記録する際の基本単位で、以下シンクブロックとする）に付加された検出情報を検出する位置検出手段としての位置検出回路、１０５は検出情報を基に作成した位置情報、１０６は記録時に付加されたアウタ訂正用パリティー符号に基づいてアウタ訂正を行うアウタ訂正復号回路、１０７はアウタ訂正用メモリ、１０８は高能率復号化手段としての高能率復号化回路、１０９は第１のメモリとしてのＮフレームメモリ、１１０は第１のメモリから読み出されるデータを１フィールド時間遅延させる第２のメモリとしてのＦＩＦＯメモリ、１１１は読み出し切換手段としてのスイッチ、１１２はキャプスタンモータの回転方向を示す方向信号、１１３はキャプスタンモータの速度がスロー再生の速度かそうでないかを示す速度信号、１１４はＮフレームメモリ１０９からの出力フィールドを制御する読み出し制御手段としての読み出し制御回路、１１５は読み出し制御信号、１１６は第１のメモリからの読み出しを制御するメモリ制御回路、１１７は出力端子、１１８はＮフレームメモリ１０９から読み出されるフィールド信号、１１９はフィールド信号１１８をＦＩＦＯメモリ１１０によって１フィールド時間遅延した遅延フィールド信号である。以下に、スロー再生時に重要となる位置検出回路１０４と読み出し制御回路１１４、読み出し制御信号１１５に基づいたＮフレームメモリ１０９からの読み出しと、スイッチ１１１の切換についてそれぞれの回路の動作から説明して行く。
【００１４】
位置検出回路１０４は、記録時にシンクブロック単位に付加されたトラック内のどのシンクブロックかを示すブロック番号である第１の検出情報（１トラック当たりＰブロック記録するのなら、検出情報は１からＰとなる）と、Ｍトラックの内のどのトラック位置なのかを示すトラック番号である第２の検出情報（Ｍトラックに記録するので、検出情報は１からＭとなる）を読み出してテープ上のどこにいるのかを示す位置情報１０５を出力する。しかし、図２に示すようにスロー再生時、再生磁気ヘッド１０１は複数トラックを交差してスキャンし、同じトラックを何度もスキャンするので第１、２の検出情報は何度も同じ情報を検出される。図２では、１／３倍速スロー再生であるので、第２の検出情報に１が書かれているトラックは６回スキャンされ、スキャン中に検出される第２の検出情報はスキャン１、２、３では１から１０、スキャン４、５、６では２から１へと変化する。そのため、現実にどの位置を再生しているのか特定しにくい。そこで、図３に示すように第２の検出情報は１スキャンの最後に取れたものを検出し、誤検出を防ぐために確定する第２の検出情報は、現在検出される情報に対して余裕を持たせるようにする。図３には余裕を１持たせた場合を示す。こうすることで確実に再生したトラックを検出できるので、テープ上トラックの位置を特定できる。第１の検出情報は、確定した第２の検出情報が変化してから最初に来た情報を認識するものとすることで、トラック内の位置を確定できる。
【００１５】
そこで位置情報１０５は、Ｍトラックの先頭からＭ／（２Ｎ）トラックに相当する領域を再生するたびにＨｉｇｈとＬｏｗを繰り返す信号で、Ｎ＝１、Ｍ＝１０、Ｐ＝１０なら図４に示すように第２の検出情報が１から５であればＨｉｇｈで、６から１０であればＬｏｗになる。図４は、１／３倍速再生を行ったときの波形図で、同図（ａ）は再生ヘッドのスイッチング信号、同図（ｂ）は確定した第２の検出情報、同図（ｃ）は位置情報１０５である。Ｎ＝２，Ｍ＝１０、Ｐ＝１０なら図５に示すように第１の検出情報が１から５、第２の検出情報が１から３まではＨｉｇｈで、その次に、第１の検出情報が１０、第２の検出情報が５まではＬｏｗ、第１の検出情報が５、第２の検出情報が８まではＨｉｇｈ、次に第１の検出情報が１、第２の検出情報が１になるまではＬｏｗとなる。図５も１／３倍速再生を行ったときのもので、同図（ａ）は再生ヘッドのスイッチング信号、同図（ｂ）は確定した第１の検出情報、同図（ｃ）は確定した第２の検出情報、同図（ｄ）は位置情報１０５である。
【００１６】
ここで、Ｍ／（２Ｎ）トラックに相当する領域とは、Ｎフレーム単位で高能率符号化し、それを１ページとして記録した場合に、１フィールドのデータが記録されていると考えても良い領域である。実際には、各フィールドごとのデータ量が異なるのでＭ／（２Ｎ）トラックの領域に１フィールド分のデータが記録されているわけではなく、シャフリングして記録しているので１ページの先頭からＭ／（２Ｎ）トラックが最初の１フィールドであるとも限らないが、擬似的にそうであると考えることにすると、位置情報１０５はＮフレームの内の各フレームの前半フィールドを再生しているときにＨｉｇｈ、後半フィールドを再生しているときにＬｏｗとなる信号である。
【００１７】
読み出し制御回路１１４は、位置情報１０５と方向信号１１２と速度信号１１３を用いてＮフレームメモリ１０９からの読み出しとスイッチ１１１の両方を制御できる読み出し制御信号１１５を出すが、その動作について説明する。
【００１８】
読み出し制御は、まず、方向信号１１２が正方向再生か負方向再生かをチェックする。方向信号１１２は正方向再生であればＬｏｗ、負方向再生であればＨｉｇｈとなる。次に、速度信号１１３がスローであるかそうでないかをチェックする。速度信号１１３はスローであればＨｉｇｈ、スロー以外であればＬｏｗである。次に位置情報１０５が１フレーム内でどのように変化したか履歴をチェックする。そのチェック結果と方向信号１１２と速度信号１１３を用いて、出力端子１１７から出力されるフィールドの出力時間がスロー再生の速度に応じて均等になるように読み出し制御信号１１５を（表１）に示す組み合わせに基づいて決める。
【００１９】
【表１】
0003651211.tif 000002
【００２０】
読み出し制御信号１１５は、（表１）に示すように７通りあり、０は出力端子１１７から正方向再生時に１フレームデータの第１フィールドを出すことを意味し、１は出力端子１１７から正方向再生時に１フレームデータの第２フィールドを出すことを意味し、２は出力端子１１７から正方向再生時に第２フィールド、第１フィールドの順にフィールドを出すことを意味し、３は出力端子１１７から正方向再生時に第１フィールド、第２フィールドの順にフィールドを出すことを意味し、４は出力端子１１７から逆方向再生時に１フレームデータの第１フィールドを出すことを意味し、５は出力端子１１７から逆方向再生時に１フレームデータの第２フィールドを出すことを意味し、６は出力端子１１７から逆方向再生時に第２フィールド、第１フィールドの順にフィールドを出すことを意味し、７は出力端子１１７から逆方向再生時に第１フィールド、第２フィールドの順にフィールドを出すことを意味する。読み出し制御信号１１５は、３ビットからなり、最上位ビットはキャプスタンモータの回転方向つまり、再生方向を示す。
【００２１】
読み出し制御回路１１４は、位置情報１０５と、方向信号１１２と、速度信号１１３から（表１）に示す読み出し制御信号１１５を出力するのであるが、なぜ位置情報１０５が１フレーム内で（表１）のように変化すれば、読みだし制御信号１１５が決まるのかについて説明する。
【００２２】
読み出し制御信号１１５は、Ｎフレームメモリ１０９に書かれているデータをどのように読み出すかを制御する信号であるので、次にＮフレームメモリ１０９に書き込まれるデータがどこまで再生できているかに応じて読み出しを制御しなければならない。そのため、位置情報１０５がＬｏｗからＨｉｇｈに変化すれば、次にフレームメモリに書き込まれるデータの第１フィールドに相当する領域を再生していることになるので、メモリから第１フィールドを読み出すこととし、ＨｉｇｈからＬｏｗに変化すれば、次にフレームメモリに書き込まれるデータの第２フィールドに相当する領域を再生していることになるので、メモリから第２フィールドを読み出す。しかし、この変化点が１フレーム期間内の前半にあるのか後半にあるのかで、出力フレームの最初から読み出しフィールドを切り換えるのか、出力フレームの第２フィールド出力タイミングで読み出しフィールドを切り換えるのかを考慮する必要が出てくる。
【００２３】
そこで、変化点が１フレーム期間内の前半にあれば出力フレームの最初から読み出しフィールドを切り換え、変化点が１フレーム期間内の後半にあれば出力フレームの第２フィールド読み出しタイミングでフィールドを切り換えこととする。変化点が１フレーム期間内に存在しない場合は、位置情報１０５がＨｉｇｈであればテープ上のデータの第１フィールドに相当する領域を再生している途中ということになるのでメモリから第１フィールドを読み出し、Ｌｏｗであればテープ上のデータの第２フィールドに相当する領域を再生している途中ということになるのでメモリから第２フィールドを読み出すこととする。これにより（表１）に示す組み合わせができることになり、テープ再生時の動きに合わせた読み出し制御信号１１５を出すことができる。
【００２４】
Ｎフレームメモリ１０９からの読み出しはメモリ制御回路１１６で行われるが、読み出し制御信号１１５に従ってどのように動作するのか説明を行う。
【００２５】
メモリ制御回路１１６は、１フレーム前の読み出し制御信号と現在の読み出し制御信号１１５の組み合わせに基づいてＮフレームメモリ１０９からの読み出しを行うが、その読み出しは（表２）にのように行われる。
【００２６】
【表２】
0003651211.tif 000003
【００２７】
（表２）のチェンジという欄に○がついている組み合わせは、次の読み出しの時には次のフレームメモリから読み出しを行うことを意味する。この読み出し時の特徴は、Ｎフレームメモリが同時読み出し、書き込みのメモリであるため、正方向再生時に読み出し制御信号１１５が２、逆方向再生時に読み出し制御信号１１５が７となっても、読み出し制御信号１１５が意図しているようなＮフレームメモリ１０９からの読み出しをできないので、１フレーム前の読み出し制御信号と現在の読み出し制御信号１１５の組み合わせに基づいてＮフレームメモリ１０９からの読み出しを行うところである。つまり、Ｎフレーム単位の切れ目では前フレームの第２フィールドと現フレームの第１フィールドを１フレーム内で読み出すことはできないので、ＦＩＦＯメモリ１１０とスイッチ１１１を使い、出力端子から出力されるときに読み出し制御信号１１５の意図する出力になるようにＮフレームメモリ１０９からの読み出しをするのである。
【００２８】
スイッチ１１１も、１フレーム前の読み出し制御信号と現在の読み出し制御信号１１５の組み合わせに基づいてフィールド信号１１８と遅延フィールド信号１１９を切り換えるが、その切換は（表３）のように行われる。
【００２９】
【表３】
0003651211.tif 000004
【００３０】
（表３）のスイッチのアクティブは、Ｈがフィールド信号１１８側、Ｌが遅延フィールド信号１１９側を選択することを示し、例えば、アクティブの欄がＨＬとなっているものはフレームの前半はフィールド信号１１８側、フレームの後半は遅延フィールド信号１１９側を選択する。特に、読み出し制御信号１１５が２や７の時は、Ｎフレームメモリ１０９からの読み出しは読み出し制御信号１１５の意図するものとなっていないので、ここでの切り換えで読み出し制御信号１１５の意図する出力にする。
【００３１】
以上のように動作する回路を用いた映像信号処理装置で、例えば、Ｎ＝１，Ｍ＝１０，Ｐ＝１０で１／３倍速スロー再生を行った場合の動作について簡単に説明する。
【００３２】
再生用磁気ヘッド１０１から再生された信号に対し、再生処理回路１０２で増幅や波形等価などの再生処理を行い、記録時のシンクブロック単位にインナ訂正復号回路１０３に入力され、インナ訂正用パリティーに基づいてインナ訂正される。インナ訂正されたシンクブロック単位のデータは、位置検出回路１０４で第１の検出情報と第２の検出情報を検出し、位置情報１０５を出力する。また、インナ訂正されたシンクブロック単位のデータは、アウタ訂正復号回路１０６に入力され、アウタ訂正用メモリ１０７の所定の位置に書き込まれる。書き込まれたシンクブロック単位のデータは、所定の個数毎に記録時に付加されたアウター訂正用パリティーに基づいてアウタ訂正される。アウタ訂正されたデータが１ページ分揃えば高能率復号化回路１０８で高能率復号化され、フレームメモリ１０９に１フレーム単位の映像データとして記録される。読み出し制御回路１１４では、位置情報１０５と、正方向再生を示す方向信号１１２と、スロー再生であることを示す速度信号１１３から図６のアルゴリズムで（表１）に示す読み出し制御信号１１５を出力する。メモリ制御回路１１６は読み出し制御信号１１５に従い（表２）のようにフレームメモリ１０９からフィールド信号を読み出す。スイッチ１１１も読み出し制御信号１１５に従い、（表３）のようにフィールド信号１１８側と遅延フィールド信号１１９側を切り換えて、出力端子１１７から出力する。
【００３３】
この時の各信号の流れについて図６のタイムチャートを用いて説明する。図６は、１／３倍速スロー再生時のものであり、（Ａ）は、テープ上のページを示し、Ｎ＝１の場合、ページとフレームは同じ単位となり、Ｚ，Ａ，Ｂはフレームを示す。（Ｂ）は確定した第２の検出情報、（Ｃ）は位置情報１０５、（Ｄ）は方向信号１１２、（Ｅ）は速度信号１１３、（Ｆ）はシステム基準となるフレーム信号、（Ｇ）はアウタ訂正をしているページ、（Ｈ）はＮフレームメモリ１０９に書き込むフレーム、（Ｉ）は読み出し制御信号１１５、（Ｊ）はＮフレームメモリ１０９から読み出すフィールドでＡ１，Ａ２などの数字は１フィールド、２フィールドを示す。（Ｋ）はＦＩＦＯメモリ１１０からの出力、（Ｌ）はスイッチ１１１のアクティブ側を示し、（Ｍ）は出力端子１１７から出力されるフィールドである。
【００３４】
図６には、（Ｂ）に第２の検出情報しか示していないが、Ｎ＝１であるので位置情報１０５（Ｃ）は第２の検出情報だけで作成される。１／３倍速スローであるので（Ｄ）はＬｏｗ、（Ｅ）はＨｉｇｈとなる。（Ｇ）は再生しているページと同じページで、（Ｈ）は（Ｇ）より１ページ前のページに書かれていたフレームで、（Ｉ）は図６のアルゴリズムに従い（表１）から導いたものである。この読み出し制御信号１１５（Ｉ）に従い、（Ｊ），（Ｌ）が動作することで出力端子１１７（Ｍ）から１／３倍速スロー再生の絵が出力される。この場合は、Ｎフレームメモリ１０９からの読み出し（Ｊ）がそのまま出力端子１１７（Ｍ）から出力されていることになるが、それだけでＺ２，Ａ１，Ａ１，Ａ１，Ａ２，Ａ２，Ａ２，Ｂ１となって出力フィールドの出力時間が均等なスロー再生の動きの滑らかな出力となる。
【００３５】
図７は、位置情報１０５（Ｃ）がフレーム信号（Ｆ）に対して図６とは異なった位相にある場合のタイムチャートである。この場合、読み出し制御信号１１５（Ｉ）が２の条件がある。Ｎフレームメモリ１０９からの読み出しフィールド（Ｊ）は、Ａ１，Ａ１，Ａ１，Ａ１，Ａ２，Ａ２となり、このままでは出力フィールドの出力時間が不均等となり、動きが不自然なものとなる。そこで、スイッチ１１１を用いてＮフレームメモリ１０９から読み出すフィールドとＦＩＦＯメモリ１１０からの出力を、読み出し制御信号１１５に基づいて行うことで出力端子１１７（Ｍ）の出力はＺ２，Ｚ２，Ａ１，Ａ１，Ａ１，Ａ２，Ａ２，Ａ２となって出力フィールドの出力時間が均等なスロー再生の動きの滑らかなものとなる。
【００３６】
以上説明したように本実施の形態によれば、Ｎフレームの映像信号を１ページとし１ページ単位で高能率符号化してディジタルデータとし、予め決められたＭトラックにシャフリングしてヘリカルスキャン記録するＤＶＴＲでも、再生時のテープ上の位置を検出して、それに基づいてＮフレームメモリからの読み出しとスイッチの切り換えを制御することで出力フィールドの出力時間が均等な動きの滑らかなスロー再生が可能となる。
【００３７】
（実施の形態２）
図８は、本発明の実施の形態２による映像信号処理装置の構成を示すブロック図であり、図１と同じ構成要件には、同一符号を付し、説明を省略する。
【００３８】
図８において、８００はメモリ制御回路、８０１はＮフレームメモリ１０９から読み出されるデータを１フィールド時間遅延させるＦＩＦＯメモリ、８０２は読み出し切換手段としてのスイッチ、８０３は出力端子１１７からの出力フィールドを制御するフィールド制御手段としての読み出し制御回路、８０４は読み出し制御信号である。８０５はフィールド信号、８０６は遅延フィールド信号である。この装置で、１／３倍速スロー再生を行った場合の動作について説明して行く。ここでの説明は、Ｎ＝１，Ｍ＝１０，Ｐ＝１０の場合で行う。
【００３９】
再生用磁気ヘッド１０１から再生されたデータがＮフレームメモリ１０９に書かれるまでは実施の形態１と同じなので省略する。位置検出回路１０４の動作も同じであるので省略する。次に、Ｎフレームメモリ１０９からの読み出しを制御するメモリ制御回路８００は、読み出し制御信号８０４に関わらず、常に第１フィールド、第２フィールドの順番に行われる。読み出されたフィールドはＦＩＦＯメモリ８０１で１フィールド時間遅延される。スイッチ８０２ではフィールド信号８０５と遅延フィールド信号８０６を読み出し制御信号８０４に従って切り換え、出力端子１１７から出力し、スローを実現する。この時、読み出し制御回路８０３と読み出し制御信号８０４は実施の形態１の読み出し制御回路１１４と読み出し制御信号１１５と同じである。ここで特徴となるのは、スイッチ８０２の切り換えで、（表４）に示すように行う。
【００４０】
【表４】
0003651211.tif 000005
【００４１】
（表４）のスイッチのアクティブは、Ｈがフィールド信号８０５側、Ｌが遅延フィールド信号８０６側を選択することを示し、例えば、アクティブの欄がＨＬとなっているものはフレームの前半はフィールド信号８０５側、フレームの後半は遅延フィールド信号８０６側を選択する。
【００４２】
この時の各信号の流れについて、図１０のタイムチャートを用いて説明する。図１０は、１／３倍速スロー再生時のものであり、（Ａ）は、テープ上のページを示し、Ｎ＝１の場合、ページとフレームは同じ単位となり、Ｚ，Ａ，Ｂはフレームを示す。（Ｂ）は確定した第２の検出情報、（Ｃ）は位置情報１０５、（Ｄ）は方向信号１１２、（Ｅ）は速度信号１１３、（Ｆ）はシステム基準となるフレーム信号、（Ｇ）はアウタ訂正をしているページ、（Ｈ）はＮフレームメモリ１０９に書き込むフレーム、（Ｉ）は読み出し制御信号８０４、（Ｊ）はＮフレームメモリ１０９から読み出すフィールドでＡ１，Ａ２などの数字は１フィールド、２フィールドを示す。（Ｋ）はＦＩＦＯメモリ８０１からの出力、（Ｌ）はスイッチ８０２のアクティブ側を示し、（Ｍ）は出力端子１１７から出力されるフィールドである。この場合、同一フレーム期間中に出力されるフィールドは同じフレームのものとなる。
【００４３】
図１１は、位置情報１０５（Ｃ）がフレーム信号（Ｆ）に対して図１０とは異なった位相にある場合のタイムチャートである。この場合、同一フレーム期間中に出力されるフィールドは異なるフレームのものとなる。
【００４４】
図９、１０ともに、読み出し制御信号８０４に従い、スイッチ８０２を切り換えることで出力フィールドの出力時間が均等なスロー再生の動きの滑らかな出力となる。
【００４５】
以上説明したように本実施の形態によれば、Ｎフレームの映像信号を１ページとし１ページ単位で高能率符号化してディジタルデータとし、予め決められたＭトラックにシャフリングしてヘリカルスキャン記録するＤＶＴＲでも、再生時のテープ上の位置を検出して、それに基づいてスイッチの切り換えを制御することで出力フィールドの出力時間が均等な動きの滑らかなスロー再生が可能となる。
【００４６】
（実施の形態３）
図１１は、本発明の実施の形態３による映像信号処理装置の構成を示すブロック図であり、図１と同じ構成要件には同一符号を付し、説明を省略する。
【００４７】
図１１において、１１００は読み出し情報付加手段としての読み出し情報付加回路、１１０１は伝送手段としての伝送回路で、例えばＣＳＤＩ（Compression Serial Data Interface）である。読み出し情報付加回路１１００は読み出し制御回路１１４と同様に動作し制御信号を作成し、アウタ訂正用メモリ１０７から１ページ単位で読み出すデータに付加する。読み出し制御信号は３ビットで構成され、最上位ビットは再生方向を示す。伝送回路１１０１は読み出し情報を付加したデータを伝送フォーマットに従って並び替え、伝送する。
【００４８】
受信側では、読み出し制御信号を分離し、１ページ単位のデータを高能率復号化してＮフレームデータとしたときのフレームデータの読み出しを分離した読み出し制御信号に基づいて行えば、スロー再生を実現できる。
【００４９】
以上説明したように本実施の形態によれば、Ｎフレームの映像信号を１ページとし１ページ単位で高能率符号化してディジタルデータとし、予め決められたＭトラックにシャフリングしてヘリカルスキャン記録するＤＶＴＲで、再生したデータを伝送するときに再生時のテープ上の位置を検出して、その検出結果とテープ走行方向を示す方向信号と速度信号から制御信号を生成し、それを伝送データに付加することで、受信側で出力フィールドの出力時間が均等な動きの滑らかなスロー再生が可能となる。
【００５０】
【発明の効果】
以上のように本発明によれば、スロー再生時の同一フレーム期間内に異なるフレームに属するフィールドを出力することができ、スロー再生時に出力するフィールドの出力時間を均等にした動きの滑らかなスローを実現できるという効果が得られる。
【図面の簡単な説明】
【図１】本発明の実施の形態１における映像信号処理装置の構成を示すブロック図
【図２】１／３倍速スロー再生時の再生用磁気ヘッドのトラックトレースパターンと検出される第２の検出情報の関係を示す図
【図３】１／３倍速スロー再生時の再生用磁気ヘッドのトラックトレースパターンと確定した第２の検出情報の関係を示す図
【図４】１／３倍速スロー再生時の確定した第２の検出情報と位置情報の関係を示すタイムチャート
【図５】１／３倍速スロー再生時の確定した第１、第２の検出情報と位置情報の関係を示すタイムチャート
【図６】本発明の実施の形態１における映像信号処理装置で１／３倍速スロー再生を行った時のタイムチャート
【図７】同映像信号処理装置で１／３倍速スロー再生を行った時のタイムチャート
【図８】本発明の実施の形態２における映像信号処理装置の構成を示すブロック図
【図９】同映像信号処理装置で１／３倍速スロー再生を行った時のタイムチャート
【図１０】同映像信号処理装置で１／３倍速スロー再生を行った時のタイムチャート
【図１１】本発明の実施の形態３における映像信号処理装置の構成を示すブロック図
【符号の説明】
１００  記録処理回路
１０１  再生用磁気ヘッド
１０２  再生処理回路
１０３  インナ訂正復号回路
１０４  位置検出回路
１０５  位置情報
１０６  アウタ訂正復号回路
１０７  アウタ訂正用メモリ
１０８  高能率復号化回路
１０９  フレームメモリ
１１０  ＦＩＦＯメモリ
１１１  スイッチ
１１２  方向信号
１１３  速度信号
１１４  読み出し制御回路
１１５  読み出し制御信号
１１６  メモリ制御回路
【図１】
0003651211.tif 000006
【図２】
0003651211.tif 000007
【図３】
0003651211.tif 000008
【図４】
0003651211.tif 000009
【図５】
0003651211.tif 000010
【図６】
0003651211.tif 000011
【図７】
0003651211.tif 000012
【図８】
0003651211.tif 000013
【図９】
0003651211.tif 000014
【図１０】
0003651211.tif 000015
【図１１】
0003651211.tif 000016